(57)【要約】クラブのスイング中にゴルフクラブヘッドに使用するためのウエイトデバイスであって、開口を有する容器であって、該開口を通してクラブヘッドが該容器中に受容される容器、容器の上に設けられた保持具であって、クラブヘッドにおおむねフィットした関係で容器を保持する位置に固定される保持具、容器により支えられたウエイト構造物であって、クラブのスイングのためにクラブヘッドに実質的なウエイトを加える、ウエイト構造物、該容器が前面部、底面部、トウ部分、ヒール部分、背面部、およびトップ部を有し、該ウエイト構造物が前記部分の少なくとも１つの近傍に位置する容器、の組み合わせを含むウエイトデバイス。種種の他の態様の容器および保持具が提供される。
2004532056.tif 000002
【特許請求の範囲】
【請求項１】
クラブのスイング中にゴルフクラブヘッドに使用するためのウエイトデバイスであって、
ａ）開口を有する容器であって、該開口を通してクラブヘッドが該容器中に受容される容器、
ｂ）容器の上に設けられた保持具であって、クラブヘッドにおおむねフィットした関係で容器を保持する位置に固定される保持具、
ｃ）容器により支えられたウエイト構造物であって、クラブのスイングのためにクラブヘッドに実質的なウエイトを加える、ウエイト構造物、
ｄ）該容器が前面部、底面部、トウ部分、ヒール部分、背面部、およびトップ部を有し、該ウエイト構造物が前記部分の少なくとも１つの近傍に位置する容器、
の組み合わせを含むウエイトデバイス。
【請求項２】
前記保持具を前記位置に固定するためのフックおよびパイル固定具を有する、請求項１記載の組み合わせ。
【請求項３】
前記保持具が、容器の少なくとも途中まで伸びるフラップを有する、請求項１記載の組み合わせ。
【請求項４】
前記保持具が、容器の少なくとも途中まで伸びるフラップを有する、請求項２記載の組み合わせ。
【請求項５】
前記保持具が前記の固定された位置において前記開口部を少なくとも部分的に覆う、請求項１記載の組み合わせ。
【請求項６】
前記フラップが前記の固定された位置において前記開口部を少なくとも部分的に覆う、請求項３記載の組み合わせ。
【請求項７】
前記容器が、
ｉ）クラブヘッドのフロントフェースの隣接位置に伸びる壁部分、
ｉｉ）クラブヘッドのリアサイドの隣接位置に伸びる壁部分、
ｉｉｉ）クラブヘッドの底部表面の隣接位置に伸びる壁部分、
ｉｖ）クラブヘッドのトウの隣接位置に伸びる壁部分、
ｖ）クラブヘッドのヒールの隣接位置に伸びる壁部分、
ｖｉ）クラブヘッドのトップエッジの隣接位置に伸びる壁部分、
の少なくとも２つを有し、
ウエイト構造物がそのような壁部分の少なくとも１つに、またはその近傍に位置する、
請求項１記載の組み合わせ。
【請求項８】
ウエイト構造物が、以下の１つに、またはその近傍に位置する、請求項７記載の組み合わせ：
ｖｉｉ）壁部分の少なくとも１つ、
ｖｉｉｉ）壁部分の少なくとも２つ、
ｉｘ）壁部分の少なくとも３つ、
ｘ）壁部分の少なくとも４つ。
【請求項９】
ウエイト構造物が金属物質を含む、請求項１記載の組み合わせ。
【請求項１０】
前記物質が前記容器により隠されている、請求項９記載の組み合わせ。
【請求項１１】
前記ウエイト構造物が別個の局部的な複数の金属部分を有する、請求項８記載の組み合わせ。
【請求項１２】
前記物質が、容器により提供される１つまたは複数のポケット中に保持される、請求項９記載の組み合わせ。
【請求項１３】
容器中に受容されたクラブヘッドを有し、前記物質がクラブヘッドの反対側のポケット中に受容される、請求項９記載の組み合わせ。
【請求項１４】
前記物質が容器により提供されるポケット中に受容され、ポケットに対する物質の位置が調整可能であるような寸法を有する、請求項９記載の組み合わせ。
【請求項１５】
前記物質が容器により提供される１つまたは複数のポケット中に受容され、物質の１つまたは複数のポケット中での選択的な使用を可能とする、請求項９記載の組み合わせ。
【請求項１６】
容器の１つまたは複数の周縁部にスカッフプロテクターを有し、前記１つまたは複数の周縁部を、クラブをスイングする間の表面との接触によるスカッフニングに対して保護する、請求項１記載の組み合わせ。
【請求項１７】
以下の１つにスカッフプロテクターが伸びる、請求項１６記載の組み合わせ：
ｘ１）容器の最下部、
ｘ２）容器のトウ位置、
ｘ３）容器の下部ヒール部分。
【請求項１８】
容器の前面に、クラブのスイング中にボールを打つためのストライカーを有する、請求項１記載の組み合わせ。
【請求項１９】
前記ストライカーがプレートを有する、請求項１８記載の組み合わせ。
【請求項２０】
ウエイト構造物はサイズづけられ、きちんと配置され、容器内に受容されたクラブヘッドの以下の位置の少なくとも１つの位置の近傍に保持される、請求項１記載の組み合わせ：
ｉ）前面部分、
ｉｉ）背面部分、
ｉｉｉ）トウ部分、
ｉｖ）ヒール部分、
ｖ）トップ部分、
ｖｉ）底部部分。
【請求項２１】
クラブのスイング中にゴルフクラブに使用するためのウエイトデバイスであって、
ａ）それを介してクラブが受容され、構造物を取り外し可能にささえる空間を画定する構造物、
ｂ）クラブヘッドにおおむねフィットして配置される前記構造物、
ｃ）前記構造物により支えられるウエイトであって、クラブヘッドに実質的な重量を加え、ヘッドスイングの方向により大きなモーメントを提供し、クラブスイング中に使用されるウエイト、
の組み合わせを含むウエイトデバイス。
【請求項２２】
前記構造物がゴルフバッグに結合可能なフラップを有する、請求項２１記載の組み合わせ。
【請求項２３】
ａ）ゴルフバック上のループへの取り付けのために折りたたまれるフラップ、
ｂ）フラップに付随し、固定具部分をゴルフバッグに取り付ける固定具、
の１つを含む、請求項２２記載の組み合わせ。
【請求項２４】
クラブのホーゼルを露出させるため、ゴルフクラブヘッドの上に折りたたまれるフラップを構造物が有する、請求項２１記載の組み合わせ。
【請求項２５】
前記構造物により支えられた少なくとも１つのウエイトのための、シールされた、またはシール可能な１つまたは複数のエンクロージャーを有する、請求項２１記載の組み合わせ。
【請求項２６】
サイド−バイ−サイドシークエンスで複数の前記エンクロージャーを有し、ゴルフクラブヘッドに隣接して保持されたときにウエイトが動きによくフィットするようにする、請求項２５記載の組み合わせ。
【請求項２７】
前記構造物が１つまたは複数の耐湿性壁を有する、請求項２１記載の組み合わせ。
【請求項２８】
１つまたは複数の壁が実質的にゴルフクラブヘッドを取り囲む、請求項２７記載の組み合わせ。
【請求項２９】
前記構造物が拡張可能なトウ部分を有する容器を含み、異なるサイズのゴルフクラブヘッドトウ部分を受容し、フィットする、請求項２１記載の組み合わせ。
【請求項３０】
前記構造物が異なるサイズのゴルフクラブヘッドを覆い、追随できる長さを有するフラップを有する、請求項２１記載の組み合わせ。
【請求項３１】
前記構造物がヘッドを受容する上部開口を有するゴルフクラブヘッド容器を有し、該容器は該開口部の上に折りたたまれる上部フラップ部分を有し、該容器またはフラップの上部部分の上に強化材料を有し、容器の強化されていない部分を柔軟にし、クラブヘッドの曲線に追随するようにする、請求項２１記載の組み合わせ。
【請求項３２】
前記強化材料がバインディングを含む、請求項３１記載の組み合わせ。
【請求項３３】
前記構造物が開口を有し、クラブホーゼルの下の強化された部分を有する容器中に、ゴルフクラブを受容する、請求項２１記載の組み合わせ。
【請求項３４】
前記構造物が、クラブヘッドの前面および背面で上方に折りたたまれる２つの類似の半分の部分を有し、前記ウエイトが該フラップの内側面に保持される、請求項２１記載の組み合わせ。
【請求項３５】
前記フラップがクラブヘッドの底部近傍の位置でシームレスに取り付けられ、クラブヘッドの頂部近傍に強化材料が取り付けられる、請求項３４記載の組み合わせ。
【請求項３６】
前記ウエイトが、該フラップの内側面でポケット中に、包まれた複数のウエイトを有する、請求項３４記載の組み合わせ。
【請求項３７】
前記構造物がクラブヘッドの反対方向へ伸び、ヘッドの１面に該構造物の上に第一の指示色があり、ヘッドの反対の面に該構造物の上に第二の指示色がある、請求項２１記載の組み合わせ。
【請求項３８】
前記構造物がクラブヘッド周囲を緊密に覆う覆いを画定し、保持具がヘッドの周囲に緊密に覆いを保持する、請求項２１記載の組み合わせ。
【請求項３９】
前記保持具がＶＥＬＣＲＯを含む、請求項３８記載の組み合わせ。
【請求項４０】
前記構造物がクラブシャフトの上を伸びるシースを含み、前記ウエイトが該シースの上に支えられる、請求項２１記載の組み合わせ。
【請求項４１】
クラブヘッドを包むシース下部を有し、前記ウエイトの部分が該シース下部の上にある、請求項４０記載の組み合わせ。
【発明の詳細な説明】
【技術分野】
【０００１】
本発明は、たとえばアイアンのようなゴルフクラブをスイングすることに関し、より詳細には、たとえばヘッドの近傍の選択可能な１以上の場所への取り外し可能なゴルフクラブ用のウエイトに関する。
【０００２】
ゴルファーがウォームアップまたは訓練する際、彼らは普通アイアンなどの２本のクラブを使用し、同時に数回振って、筋肉を弛緩させる。２本のクラブを握って振ることは危険であり、不快であり、１本のクラブを握って振る場合に必要とされる正しい感覚を得られない。しかし、１本のクラブは２本のクラブにより提供されるようなさらなる重量を与えない。このジレンマを単純で、効果的で効率的な方法で解決する必要があり、これが本発明により提供される。
【発明の開示】
【課題を解決するための手段】
【０００３】
上記の要求に応える単純で効果的なゴルフクラブ用のウエイトデバイスを提供することが本発明の目的である。
該デバイスは、
ａ）開口を有する容器であって、該開口を通してクラブヘッドが該容器中に受容される容器、
ｂ）容器の上に設けられた保持具であって、クラブヘッドにおおむねフィットした関係で容器を保持する位置に固定される保持具、
ｃ）容器により支えられたウエイト構造物であって、クラブのスイングのためにクラブヘッドに実質的なウエイトを加える、ウエイト構造物、
ｄ）該容器が前面部、底面部、トウ部分、ヒール部分、背面部、およびトップ部を有し、該ウエイト構造物が前記部分の少なくとも１つの近傍に位置する容器、
の組み合わせを含む。
【０００４】
本発明はたとえば、
ｘ）開口を有する容器であって、該開口を通してクラブヘッドが該容器中に受容される容器、
ｙ）容器の上に設けられた保持具であって、クラブヘッドにフィットした関係で容器を保持する位置に固定される保持具、
ｚ）容器により保持されたウエイト構造物であって、クラブのスイングのためにクラブヘッドに実質的なウエイトを加える、ウエイト構造物、
を含むデバイスにも適用可能である。
【０００５】
容器は好ましくはフラップまたはストラップであって、ゴルフクラブヘッド上に閉じられたとき、少なくとも容器の途中まで伸びるものを有し、フックおよびＶＥＬＣＲＯのようなパイル固定具がフラップまたはストラップを固定位置に付着させるために提供されることができる。
本発明は、以下の少なくとも２つを有する容器であって、
ｉ）クラブヘッドのフロントフェースの隣接位置に伸びる壁部分
ｉｉ）クラブヘッドのリアサイドの隣接位置に伸びる壁部分
ｉｉｉ）クラブヘッドの底部表面の隣接位置に伸びる壁部分
ｉｖ）クラブヘッドのトウの隣接位置に伸びる壁部分
ｖ）クラブヘッドのヒールの隣接位置に伸びる壁部分
ｖｉ）クラブヘッドのトップエッジの隣接位置に伸びる壁部分
ウエイト構造物がそのような壁部分の少なくとも１つに、またはその近傍に位置するものを包含する。
【０００６】
さらに、ウエイト構造物は典型的には、以下の１つの近傍に位置する。
ｖｉｉ）壁部分の少なくとも１つ
ｖｉｉｉ）壁部分の少なくとも２つ
ｉｘ）壁部分の少なくとも３つ
ｘ）壁部分の少なくとも４つ
【０００７】
さらに、ウエイト構造物は典型的には固体または流動可能である金属物質を含み、それは典型的には容器により隠され、異なる位置にある金属部分を含む。それは容器により提供される一つまたは複数のポケット中に、縫われ、または他の方法により保持され、容器中に保持されたクラブヘッドの相対する２つの面に保持される。
【０００８】
他の目的は、容器により提供されたポケット中のウエイト物質の配置を含み、ポケットは物質のポケットに対する位置の調節ができるようなサイズを有し、この点から、一つまたは複数のポケットは、１以上のポケット中の物質の、配置または選択されるウエイトまたは両者について、ウエイトの選択的な使用を可能とする。容器は異なる、またはすべてのサイズのヘッドにフィットするようなサイズにされる。
【０００９】
さらなる目的は、すべてのアイアンヘッド、ウェッジヘッド、または他のヘッドのすべてのゴルフクラブを受容する容器を提供すること、およびスイングトレーナー、スライスまたはフックの矯正、ウォーム−アップ中のクラブのリリースの補助、ゴルファーの筋肉強度および柔軟性の向上、テンポ、および／またはスイングスピード、および／またはリストアクションの改善のためのヘッド上の容器の使用に関する。
【００１０】
他の目的は、以下を包含する。
１）ゴルフクラブヘッドの近傍に取り外し可能にウエイトを保持する構造物
２）ゴルフクラブバックに連結可能な上記１）の構造物
３）以下の１つを含む上記２）の構造物
ａ）コルフバッグ上のループに取り付けるための折りたたみ可能なフラップ
ｂ）フラップ上、およびバックまたはハンドルの上に部分を有する固定具
４）ホーゼル近傍のゴルフクラブヘッドの上にフラップが折りたたまれているが、クラブホーゼルは露出したままにする、上記１）の構造物
５）少なくとも１つのウエイトのための、密封された、または密封可能な１つまたは複数のエンクロージャーを含む、上記１）の構造物
６）サイド−バイ−サイドの配列で配置される前記ウエイトのエンクロージャーを複数有し、ウエイトをゴルフクラブヘッドに隣接して保持したときに、ウエイトが動きに緊密にフィットするようにした上記５）の構造物
７）ウエイトを有するクラブヘッド容器を有し、該容器が耐湿性の１つまたは複数の壁を有する上記１）の構造物
８）耐湿性の１つまたは複数の壁が実質的にゴルフクラブヘッドを取り囲む、上記３）の構造物
９）異なるサイズのクラブヘッドを受容し、フィットするための、拡張可能なトウ部分を有する容器を画定する、上記１）の構造物
１０）アイアン、パターなどをはじめとする異なるサイズのゴルフクラブヘッドを包み、その形に追従する長さを有するフラップを有する、上記１）の構造物
１１）ヘッドを受容する上部の入り口または開口を有するクラブヘッド容器を有し、該容器は開口部の上に折りたたまれる上部フラップ部分を有し、容器またはフラップの上部の上に強化材料を有し、容器またはフラップの強化されていない部分を非常に柔軟にし、クラブヘッドの曲線に追従できるようにした、上記１）の構造物
１２）強化材料がバインディングを有する上記１１）の構造物
１３）クラブのホーゼル近傍に上部の強化された折りたたみ部分を有する容器内へのゴルフクラブのヘッドを受容する入り口の開口を画定する、上記１）の構造物
１４）２つの類似したフラップであって、クラブヘッドの前面および背面で上方へ折りたたまれるものを有し、金属ウエイトが２つのフラップの内側に保持される、上記１）の構造物
１５）フラップがシームレスな配置でクラブヘッドの底部近傍につなげられ、クラブヘッドの頂部近傍の強化材とつなげられる、上記１４）の構造物
１６）ウエイトが、フラップの内側のポケット内にカブセル化された複数のウエイトを含む、上記１５）の構造物
１７）そのような構造物がクラブヘッドの反対側に伸び、該構造物のヘッドの１つの面に第１の指示色があり、該構造物のヘッドの反対の面に第２の指示色がある、上記１）の構造物
１８）クラブヘッドの周囲を近接して包むラップ、およびヘッドの周囲に近接してラップを保持する保持具を画定する、上記１）の構造物
１９）保持具がＶＥＬＣＲＯ材を有する、上記１８）の構造物
２０）クラブシャフト上を伸びるシース、および該シースの上に保持されるウエイトを有し、該シースがつつまれてシャフトにつながれている、上記１１）の構造物
２１）シースの下部がクラブヘッドを包含し、ウエイトの一部がシース下部の上にある、上記２０）の構造物
【００１１】
これらおよび他の目的、および本発明の効果、並びに例示される態様の詳細は、以下の説明および図から、より完全に理解されるであろう。
図１は、ゴルフクラブヘッドを取り囲むヘッド容器を示す。これはクラブホーゼルの近くで容器の側面にラップされた保持具を有する。
図２は図１の２−２線から見たトウの正面図である。
図３は図１の３−３線から見たヒールの正面図である。
図４は図２の４−４線から見た背面の正面図である。
図５は図４の５−５線から見た底面図である。
図６は図１と同様である。しかし、開口位置のラップされていない保持具を示す。
図７は部分的な正面図であり、クラブヘッド容器により、容器およびクラブヘッドのトウエンド付近で保持されたウエイト構造物を示す。
図８は部分的な正面図であり、クラブヘッド容器により、容器およびクラブヘッドのトップ付近で保持されたウエイト構造物を示す。
図９はウエイト構造物の、クラブヘッドおよび／または調節可能なウエイト構造物からの取り外しを示す側面図である。
図１０は、ヘッドホーゼルに隣接した、クラブヘッド容器により保持されたウエイト構造物を示す側面図である。
図１１は、容器およびクラブヘッドのヒールに隣接した、クラブヘッド容器により保持されたウエイト構造物を示す側面図である。
図１２は折りたたみストラップによりゴルフクラブヘッドに取り付けられる保持具上の一緒に操作されるウエイト構造物を示す側面図である。
図１３−１５は異なる態様を示す。
図１６はゴルフクラブについて使用されるウエイトデバイスの要素を示す図である。
図１７はゴルフバッグに連結されたクラブウエイトを示す正面図である。
図１８ａはゴルフバッグへのウエイトデバイスフラップの取り付けを示す正面図である。
図１８ｂはゴルフバッグへのウエイトデバイスの固定具による連結を示す正面図である。
図１８ｃは異なる態様を示す。
図１９はゴルフクラブホーゼル近傍のウエイトデバイス上のフラップを示す正面図である。
図２０はウエイトデバイスのための密封されたウエイトエンクロージャーを示す断面図である。
図２１は、ウエイトのための密封されたマルチプルエンクロージャーを示す正面図である。
図２２はクラブヘツドのための耐湿性エンクロージャーを有するウエイト保持具を示す断面図である。
図２２ａは、類似の広がることのできるウエイトソック構造を示す。
図２３は、クラブヘッドのための広がることのできるソックまたは容器を示す正面図である。
図２４は、異なるサイズのヘッドへのフィットを許容する容器上のフラップを示す正面図である。
図２５は強化された上部開口を有する容器を保持するウエイトを示す断面図である。
図２６はバインディング物質の形態の強化材を示す部分的な断面図である。
図２７は後部強化材を有する容器を示す。
図２８はウエイトを保持する、２つの類似の半分部分を有する、上方に開口した容器を示す。
図２９は容器の２つの類似の半分部分のシームレス連結を示す断面図である。
図３０はウエイトをカプセル化するフラップポケットを示す断面図である。
図３１はウエイト容器の１面に指示色を有するものを示す正面図である。
図３２はウエイト容器の反対面に異なる指示色を有するものを示す正面図である。
図３３はクラブヘッドの周囲のウエイト保持具のラッピングを示す正面図である。
図３４はクラブヘッドの周囲のウエイト保持具のラッピングと、ＶＥＬＣＲＯを用いたものを示す正面図である。
図３５はクラブシャフトの上に伸びる、ウエイトを保持するシースを示す正面図である。
図３６は図３５に類似するが、ラップされたシースを示す。
【００１２】
図１から６を参照すると、ウエイト保持デバイスが１０に示され、クラブのウオームアップスイングの間、ゴルフクラブ１００の上で使用される。クラブはたとえばアイアンまたはパターであることができる。これは開口１２を有する容器１１を有し、これを介してまたはこれを通して、ゴルフクラブヘッド１３が受容される。容器は前面１１ａ、背面１１ｂ、トウエンド１１ｃ、ヒール１１ｄ、トップ１１ｅ、および底部１１ｆを有する。図１を参照するこの例では、開口１２はトップ１１ｅ内に伸び、容器の上部において１４で示される長い寸法を有することができる。この寸法は典型的にはヘッドの最大高さ寸法１５よりも大きく、ヘッドの末端方向への開口を介する容器内への取り付け、並びに容器からの取り外しを可能とする。容器は典型的には、柔軟な布帛または強靱で耐久性のある材料からなり、たとえば合成樹脂材料（プラスチック）である。
【００１３】
容器は好ましくは壁部分、および典型的には少なくとも２つの以下を有する。
ｉ）前面または第１の内側壁部分１６であって、ゴルフクラブヘッドのフェースに隣接して、またはその近傍に伸びるもの、
ｉｉ）背面または第２の内側壁部分１７であって、クラブヘッドの背面に隣接して、またはその近傍に伸びるもの、
ｉｉｉ）下部または第３の壁部分１８であって、クラブヘッドの底部表面に隣接して伸びるもの、
ｉｖ）前方または第４の壁部分１９であって、クラブヘッドのトウの前方へ、または隣接して伸びるもの、
ｖ）後方または第５の壁部分２０であって、クラブヘッドのヒールに隣接して、またはその近傍に伸びるもの、
ｖｉ）トップまたは第６の壁部分２１であって、クラブヘッドのトップエッジに隣接して、またはその近傍に伸びるもの、
【００１４】
容器はさらに、たとえばアイアンなどのクラブヘッドを受容する内部のスロット２２を有する。
保持具が容器の上に保持され、容器をクラブヘッドと緊密にフィットした状態で保持するための位置に伸び、固定する。
【００１５】
たとえば、図６ではフラップの経緯である保持具２５が開かれた状態であがっており、図１では閉じられ、低い場所にある。フラップは容器の背面壁部分にあるか、またはこれと一体化することができ、前方または後方の角度を有するエッジ２５ａおよび２５ｂ、および外側または上部のエッジ２５ｃ（図６）を有する。折りたたみゾーン２５ｄ、後方エッジ２５ｂで下方に折りたたまれたとき、受容されたクラブヘッド（アイアン）のホーゼル上部表面ゾーン１００ａの上に折りたたまれ、ついで容器前面１１ａの前面表面１６ａに隣接し、下方に伸びる（図１および２参照）。フラップの内側表面２５ｆは前面表面１６ａに、フックまたはパイル付着具により保持されることができ、フラップの簡単な開閉を可能とし、開口を１４において調節可能に閉じ、容器をクラブヘッドに緊密にフィットさせ、同時にクラブヘッドへのデバイスの非常に堅固な付着を提供し、クラブを振っている間のゆるみおよび／または脱着を防止する。フラップはヘッドのトップの上に緊密にフィットし、ホーゼルの近くに、すなわち最大ヘッド高さよりも低い高さで、容器をヘッドに保持する。
【００１６】
フックおよびパイル構造は、必ずしもそうとは限らないが、典型的には、容器の前面１１ａよりも大きく伸びる必要はなく、異なるアイアンヘッドの異なる大きさ、および保護的に取り囲まれるホーゼルを考慮して、フラップは選択された位置に調節可能に付着されることができる（堅く、またはゆるく）。そのため、デバイスの融通性が向上する。図１におけるフラップにより開口部１４の過半が覆われる。
【００１７】
本発明においては、さらにウエイト構造物が容器により保持され、スイングに使用するためにヘッドウエイトに実質的なウエイトを加える。
【００１８】
ウエイト構造物は以下の１つに、またはその近傍に保持される。
ｖｉｉ）前記壁部分の少なくとも１つ
ｖｉｉｉ）前記壁部分の少なくとも２つ
ｉｘ）前記壁部分の少なくとも３つ
ｘ）前記壁部分の少なくとも４つ
ｘｉ）ヘッドの１面または両面
【００１９】
図１−６においては、ウエイト構造物は２つの金属（たとえば鋼）ウエイト３５および３６は、クラブヘッド１００ｂの反対側にあるポケット３５ａおよ３６ａ中にある。そのようなポケットは前および後ろの壁部分１６および１７の内側に、容器材料で作られることができ、ウエイト３６はクラブヘッドのスイートスポット（クラブフェイスの中央部分）の位置に置かれ、ウエイト３５はヘッドの反対側におかれ、ウエイト３６とほぼ横並びの位置におかれる。それぞれのウエイトの厚さは典型的には、図示されたようにその長さおよびその幅よりも薄い。前述のようにポケツトは閉じられ、ウエイトを所定位置に保持することができるが、図９は改良されたポケット４０であって、４０ａが開口し、ウエイト位置の調整を４１および４２の方向において可能とする。ウエイト４３は好適に調整された位置に、ウエイトに取り付けられたホルダーストラップ４４により保持し、フック、パイル構造物または他の構造物により容器壁布帛に選択的に取り付けられる。図１３は容器布帛の側面５１の２つの外部ポケット４８および４９を示し、５１および５２のウエイトの１つまたは両方を受容する。ポケットカバー４８ａおよ４９ａは閉じることができ、図示されたようにフック、パイル構造物、またはスナップ５３で所定位置に保持する。
【００２０】
ウエイト材料は金属顆粒またはペブルからなることもできる。
図７は容器６２のトウ６１近傍、および受容されたクラブヘッドのトウ６３の近傍にウエイト６０が位置する異なる態様を示す。ウエイト６０は容器６２のポケット中に保持される。図８は容器６４のアッパーエッジ６６の近傍および、受容されたクラブヘッド７２のアッパーエッジ６７の近傍に、ウエイト６５が位置する異なる態様を示す。ウエイト７０のための好適なポケットは、図１１に示されたものであることができ、容器のヒール７１近傍、および受容されたクラブヘッドのヒールの近傍にウエイト７０が位置する異なる態様を示す。ウエイト７０のための好適なポケットが提供されてもよい。
【００２１】
図１０はクラブヘッド８０の容器８１内への、容器により画定される伸ばされたトップエッジスロット８２を介しての下方向の受容を示す。容器により保持されるフラップ８３は、スロットの上を下方向に折りたたまれ、容器の前面８１ａにフック、パイル構造物または他の構造物により付着する。２つのウエイト８４および８５は容器により保持され、クラブヘッドのホーゼルに隣接し、適当なポケット中にある。ウエイト８４および８５はホーゼルの相対する２つの面にあり、連結されることができる。
【００２２】
図１２はブラケット９１により保持されたウエイト保持具９０を示し、それはクラブヘッド９６の上にフィットする。１または複数のストラップ９２はブラケットの１つの側９１ａに取り付けられた端９２ａを有し、ブラケットの開いた側の上に折りたたまれ、ブラケットの他の側９１ｂに取り付けられる。保持されたウエイトは９５である。
【００２３】
最後に、ウエイト３５および３６は、クラブヘッドの外側に伸びるベンドにより、互いに連結されてもよい。
図１に類似する図１４を参照。これは容器の１つまたは複数の周縁部にあるスカッフプロテクターを示し、これは前記１つまたは複数の周縁部を、クラブをスイングする間の表面との接触によるスカッフニングに対して保護する。
示されたように、スカッフプロテクター８０は、８０ａ、８０ｂ、および８０ｃに伸びてもよく、またはそれらの位置にあってもよい。それらは以下のように定義される。
ｘ１）容器の最下部、その下部エツジ１１ｆ’に沿って、
ｘ２）容器のトウ位置、１１ａ’
ｘ３）容器の下部ヒール部分  １１ｄ’
【００２４】
プロテクターは耐スカッフ性物質（プラスチック、金属、またはその他）で作られる。
図１５は図１に類似するが、クラブをスイングする間にボールを打つための容器１１の前面のストライカー８６を示す。これはたとえば、金属、プラスチック、または他の物質からなるプレートからなることができる。ストライカーは容器に位置し、取り付けられ、容器中に受容されたゴルフクラブヘッド１００ｂの、スイートスポットを含む前面に表される。フラップ２５’はヘットのトップ部の上に、背面へ向けて折りたたまれ、ストライカーを妨害しないようにする。
【００２５】
本発明の好ましい形態では、ウエイト構造物はサイズづけられ、きちんと配置され、容器内に受容されたクラブヘッドの以下の位置の少なくとも１つの位置の近傍に保持される。
ｉ）前面部分
ｉｉ）背面部分
ｉｉｉ）トウ部分
ｉｖ）ヒール部分
ｖ）トップ部分
ｖｉ）底部部分
【００２６】
図１６はコルフクラブヘッド１００およびシャフト１０１の側面図であり、前述のようなソックのような構造１０２を有し、ヘッドフェイス１００ａに隣接する金属ウエイト１０３を保持する。ソックまたはラップ１０２はヘッドの周囲１０２ａおよび１０２ｂで巻かれることができ、ヘツドの背面１００ｂで、ＶＥＬＣＲＯ３００により確保されることができる。
【００２７】
図１７は構造１０２，たとえばウエイトを有する前記の任意の形態のソックを示し、１０５においてゴルフクラブバック１０６に、たとえばＶＥＬＣＲＯにより取り付けられる。図１８ａはゴルフクラブバック１０６に、１０８で取り付けられたループ１０７に、フラップ構造１０２ｃにより取り付けられた構造１０２を示す。フラップ１０２ｃはループを介してフィットし、構造１０２に取り付けるため下方に折りたたまれる。
【００２８】
図１８ｂは、ゴルフバック１０６に取り付けられたスナップ固定具部分１１１ｂに取り付け可能な、スナップ固定具部分１１１ａを有するウエイト構造物１０２を示す。
図１８ｃは、図１８ａで述べられた、バック１０６に取り付けられたループ１０７に取り付け可能な、異なるフラップ１１３を有するウエイト構造物１０２を示す。
図１９は破線１０２ｃ’で示された固定（ＶＥＬＣＲＯ）位置内のヘッド領域１００ｄの上に、構造１０２の側面で折り込まれるように形成されたフラップ１０２ｃを示す。そのような折り込みはフラップをシャフト１０１およびホーゼル領域１２０で接触しないようにする。
図２０は密封された、たとえばプラスチックシートである密封されたエンクロージャー１２０内のウエイト１００ｄを示し、ソック構造１０２により保持される。
【００２９】
図２１はウエイト１００ｄのためのマルチプル密封エンクロージャー１２０ａの側面図であり、ソック構造１０２で保持され、ゴルフクラブヘッドにフィットされる。フラップ１０２ｃは、閉じられたとき、エンクロージャー１２０ａを覆い、ＶＥＬＣＲＯにより１０２に連結することができる。
【００３０】
図２２はウエイト１０３を保持する構造１０２の断面図である。１０２の内側の耐湿性エンクロージャー１２５はクラブヘッド１００の周囲にフィットし、取り囲む。これは構造１０２またはソックの内側が湿分を得ることを防止し、ヘッド１００ｅが湿分と接触することを防止する。
【００３１】
図２２ａは図１８ｃにおける構造またはソック１０２を示し、該ソックは広がることのできるトウ部分１０２ｄを有し、より大きなクラブにフィットする。図２３も同様である。
図２４はソック構造１０２、広げられたフラップ（ｄの寸法を参照）１０２ｃ’’を示し、フラップの長さおよびその上のＶＥＬＣＲＯは、ソックを折りたたみ、ソックゾーン１３０を覆い、異なるサイズのゴルフクラブにフィットするようにする。
【００３２】
図２５はソック様の柔軟な容器１０２を示し、これは金属ウエイト１００ｆを保持し、強化材１３１を布帛の上部開口１３２に有する。ソックの前部は１０２ｅに示される。ソック布帛１０２ｆはより柔軟であり、すなわち、より弱い。下部領域３０１は強化されることができる。図２６は布帛の上部領域１０２ｆにたとえばバインディング１３３のような強化材を有する。ウエイト１００ｆはソックの側面に保持される。図２７は、ヒールゾーン１０２ｇに強化材１３６を有するクラブヘッド容器またはソック１０２を示す。
【００３３】
図２８はクラブヘッドのための布帛容器１０２を示し、折り線１４０の周囲に上方に開口を有し１０２ｈおよび１０２ｈ’の２つの鏡像を形成し、図示するようにそれぞれがマルチプルウエイト１００’を保持する。底部の強化材１８０も参照のこと。
【００３４】
図２９は２つの容器の半分部分１０２ｈおよび１０２ｈ’の１４０ａにおけるシームレス結合を示す断面図である。図３０は容器またはソックの半分１０２ｈにより保持されたポケツト１５１中にカプセル化されたウエイト１００’を示す。
図３１はクラブヘッド容器１０２の前面表面の内側のＸの指示色の正面図であり、これは上記のようにウエイトを保持する。図３２は前面表面の外側のＹの指示色の同じ容器を示す。
【００３５】
図３３はクラブヘッドの周囲に、フラツプ２０３により、ＶＥＲＣＲＯまたは他の固定具を使用した、Ｕ字型のウエイト支持具２０２のラッピングを示す正面図である。図３４は保持具２０２およびウエイト２０４の、クラブヘッド２０５に固定される前の断面図である。クラブシャフトは２０５ａに示される。
【００３６】
図３５は、クラブシャフト１６１にフィットし、１６２でウエイトを保持する柔軟な布帛シース１６０の正面図である。シースは１６６においてソック１０２に取り付けられ、または取り付け可能であり、上記の１つまたは複数のウエイトを保持する。図３６は、シース１６０ａを示し、これはシャフトの周りをラップし、フラップ１７０によりしっかりと固定され、該シャフトもラップされ、ＶＥＬＣＲＯにより取り付けられる。ウエイトはフラップのポケットにより選択的に保持される。
【図面の簡単な説明】
【００３７】
【図１】ゴルフクラブヘッドを取り囲むヘッド容器を示す。
【図２】図１の２−２線から見たトウの正面図である。
【図３】図１の３−３線から見たヒールの正面図である。
【図４】図２の４−４線から見た背面の正面図である。
【図５】図４の５−５線から見た底面図である。
【図６】ゴルフクラブヘッドを取り囲むヘッド容器を示す。
【図７】部分的な正面図である。
【図８】部分的な正面図である。
【図９】ウエイト構造物の、クラブヘッドおよび／または調節可能なウエイト構造物からの取り外しを示す側面図である。
【図１０】ヘッドホーゼルに隣接した、クラブヘッド容器により保持されたウエイト構造物を示す側面図である。
【図１１】容器のヒールおよびクラブヘッドに隣接した、クラブヘッド容器により保持されたウエイト構造物を示す側面図である。
【図１２】保持具上の一緒に操作されるウエイト構造物を示す側面図である。
【図１３】本発明の異なる態様を示す図である。
【図１４】本発明の異なる態様を示す図である。
【図１５】本発明の異なる態様を示す図である。
【図１６】ウエイトデバイスの要素を示す図である。
【図１７】クラブウエイトを示す正面図である。
【図１８ａ】フラップの取り付けを示す正面図である。
【図１８ｂ】ウエイトデバイスの固定具による連結を示す正面図である。
【図１８ｃ】異なる態様を示す図である。
【図１９】エイトデバイス上のフラップを示す正面図である。
【図２０】密封されたウエイトエンクロージャーを示す断面図である。
【図２１】密封されたマルチプルエンクロージャーを示す正面図である。
【図２２】耐湿性エンクロージャーを有するウエイト保持具を示す断面図である。
【図２２ａ】広がることのできるウエイトソック構造を示す図である。
【図２３】広がることのできるソックまたは容器を示す正面図である。
【図２４】容器上のフラップを示す正面図である。
【図２５】強化された上部開口を有する容器を保持するウエイトを示す断面図である。
【図２６】バインディング物質の形態の強化材を示す部分的な断面図である。
【図２７】後部強化材を有する容器を示す。
【図２８】ウエイトを保持する、２つの類似の半分部分を有する、上方に開口した容器を示す。
【図２９】容器の２つの類似の半分部分のシームレス連結を示す断面図である。
【図３０】ウエイトをカプセル化するフラップポケットを示す断面図である。
【図３１】ウエイト容器の１面に指示着色を有するものを示す正面図である。
【図３２】ウエイト容器の他の面に異なる指示着色を有するものを示す正面図である。
【図３３】ウエイト保持具のラッピングを示す正面図である。
【図３４】ウエイト保持具のラッピングと、ＶＥＬＣＲＯを用いたものを示す正面図である。
【図３５】シースを示す正面図である。
【図３６】ラップされたシースを示す。
【図１】
2004532056.tif 000003
【図２】
2004532056.tif 000004
【図３】
2004532056.tif 000005
【図４】
2004532056.tif 000006
【図５】
2004532056.tif 000007
【図６】
2004532056.tif 000008
【図７】
2004532056.tif 000009
【図８】
2004532056.tif 000010
【図９】
2004532056.tif 000011
【図１０】
2004532056.tif 000012
【図１１】
2004532056.tif 000013
【図１２】
2004532056.tif 000014
【図１３】
2004532056.tif 000015
【図１４】
2004532056.tif 000016
【図１５】
2004532056.tif 000017
【図１６】
2004532056.tif 000018
【図１７】
2004532056.tif 000019
【図１８ａ】
2004532056.tif 000020
【図１８ｂ】
2004532056.tif 000021
【図１８ｃ】
2004532056.tif 000022
【図１９】
2004532056.tif 000023
【図２０】
2004532056.tif 000024
【図２１】
2004532056.tif 000025
【図２２】
2004532056.tif 000026
【図２２ａ】
2004532056.tif 000027
【図２３】
2004532056.tif 000028
【図２４】
2004532056.tif 000029
【図２５】
2004532056.tif 000030
【図２６】
2004532056.tif 000031
【図２７】
2004532056.tif 000032
【図２８】
2004532056.tif 000033
【図２９】
2004532056.tif 000034
【図３０】
2004532056.tif 000035
【図３１】
2004532056.tif 000036
【図３２】
2004532056.tif 000037
【図３３】
2004532056.tif 000038
【図３４】
2004532056.tif 000039
【図３５】
2004532056.tif 000040
【図３６】
2004532056.tif 000041
【国際公開パンフレット】
2004532056.tif 000042
2004532056.tif 000043
2004532056.tif 000044
2004532056.tif 000045
2004532056.tif 000046
2004532056.tif 000047
2004532056.tif 000048
2004532056.tif 000049
2004532056.tif 000050
2004532056.tif 000051
2004532056.tif 000052
2004532056.tif 000053
2004532056.tif 000054
2004532056.tif 000055
2004532056.tif 000056
2004532056.tif 000057
2004532056.tif 000058
2004532056.tif 000059
2004532056.tif 000060
2004532056.tif 000061
2004532056.tif 000062
2004532056.tif 000063
2004532056.tif 000064
2004532056.tif 000065
2004532056.tif 000066
2004532056.tif 000067
2004532056.tif 000068
2004532056.tif 000069
2004532056.tif 000070
2004532056.tif 000071
2004532056.tif 000072
2004532056.tif 000073
2004532056.tif 000074
2004532056.tif 000075
2004532056.tif 000076
2004532056.tif 000077
2004532056.tif 000078
【国際調査報告】
2004532056.tif 000079